(57)【要約】      （修正有）【課題】布団等の上で猫が排泄するのを防止する猫の排泄防止具を提供する。【解決手段】猫の排泄防止具１はプラスチック材などにより布団と同じ大きさに形成されている。２は布団の縦方向に等間隔離して並行に配設された多数の横桁部であり、布団の横幅と同じ長さを有している。３は上下に隣接する横桁部２の間を連結する多数の連結部であり、布団の横方向に等間隔離して平行に配設されている。横桁部２と連結部３は同じ高さの縦壁状に形成されており、猫がまたいで歩くことはできるが、しゃがもうとすると、お尻が横桁部２や連結部３の上端に当たってしゃがめない高さに形成されている。すなわち、猫の排泄防止具１は、平面的に見て四角形の縦壁４を格子状に二次元的に連接して配設した構成を有し、縦壁４の間の空間により猫が足を入れる足入れ部５が形成されるとともに、縦壁４により猫がしゃがむのを邪魔する邪魔部６が形成されている。【選択図】図１
0003196231.tif 000002
【実用新案登録請求の範囲】
【請求項１】
猫が足を入れる足入れ部と、
猫がしゃがむのを邪魔する邪魔部とを、交互に二次元的に連接して配設したこと、
を特徴とする猫の排泄防止具。
【請求項２】
平面的に見て内部が閉じた幾何学的形状を成す縦壁を二次元的に連接して配設し、
縦壁の間の空間により猫が足を入れる足入れ部を形成し、
縦壁により猫がしゃがむのを邪魔する邪魔部を形成したこと、
を特徴とする請求項１記載の猫の排泄防止具。
【請求項３】
多数の錐体状の凸部を二次元的に連接して配設し、
隣接する凸部の間の空間により猫が足を入れる足入れ部を形成し、
凸部により猫がしゃがむのを邪魔する邪魔部を形成したこと、
を特徴とする請求項１記載の猫の排泄防止具。
【請求項４】
シート上に多数の凸部を二次元的に配設し、
隣接する凸部の間の空間により猫が足を入れる足入れ部を形成し、
凸部により猫がしゃがむのを邪魔する邪魔部を形成したこと、
を特徴とする猫の排泄防止具。
【考案の詳細な説明】
【技術分野】
【０００１】
本考案は猫の排泄防止具に係り、とくに布団、マットレスなどの寝具や、座布団などの上で猫が排泄するのを防止するのに効果的な猫の排泄防止具に関する。
【背景技術】
【０００２】
家庭で猫を飼っているとき、冬場などではペット用トイレがあっても、温かい布団、マットレスなどの寝具や、座布団などの上でおしっこを排泄されることがあり、布団等に臭いが着いて使用できなくなることがあった。
【先行技術文献】
【特許文献】
【０００３】
【特許文献１】特開２００７−０７４９９６号公報
【考案の概要】
【考案が解決しようとする課題】
【０００４】
本考案は上記した従来の問題に鑑みなされたもので、布団などの上で猫が排泄するのを防止できる猫の排泄防止具を提供することを、その目的とする。
【課題を解決するための手段】
【０００５】
請求項１記載の考案では、猫が足を入れる足入れ部と、猫がしゃがむのを邪魔する邪魔部とを、交互に二次元的に連接して配設したこと、を特徴としている。
請求項２記載の考案では、平面的に見て内部が閉じた幾何学的形状を成す縦壁を二次元的に連接して配設し、縦壁の間の空間により猫が足を入れる足入れ部を形成し、縦壁により猫がしゃがむのを邪魔する邪魔部を形成したこと、を特徴としている。
請求項３記載の考案では、多数の錐体状の凸部を二次元的に連接して配設し、隣接する凸部の間の空間により猫が足を入れる足入れ部を形成し、凸部により猫がしゃがむのを邪魔する邪魔部を形成したこと、を特徴としている。
請求項４記載の考案では、シート上に多数の凸部を二次元的に配設し、隣接する凸部の間の空間により猫が足を入れる足入れ部を形成し、凸部により猫がしゃがむのを邪魔する邪魔部を形成したこと、を特徴としている。
【考案の効果】
【０００６】
本考案によれば、猫の排泄防止具を布団、マットレスなどの寝具や座布団の上に展開しておくと、猫は二次元的に配設された足入れ部に足を入れて歩くことはできるが、しゃがもうとするとお尻が邪魔部に当たってしゃがむことができない。猫はしゃがんで排泄する習性があるので、布団等の上でおしっこ等を排泄する恐れがなくなる。
【図面の簡単な説明】
【０００７】
【図１】本考案の第１実施例に係る猫の排泄防止具の外観斜視図である（実施例１）。
【図２】図１の変形例を示す一部省略した斜視図である。
【図３】本考案の第２実施例に係る猫の排泄防止具の外観斜視図である（実施例２）。
【図４】図３のＩＶ−ＩＶ’線に沿った縦断面図である。
【図５】本考案の第２実施例に係る猫の排泄防止具の外観斜視図である（実施例３）。
【図６】図５のＶＩ−ＶＩ’線に沿った縦断面図である。
【考案を実施するための最良の形態】
【０００８】
以下、本考案の最良の形態を実施例に基づき説明する。
【実施例１】
【０００９】
図１を参照して本考案の第１実施例を説明する。図１は本考案に係る猫の排泄防止具の外観斜視図である。
図１において、１は猫の排泄防止具であり、プラスチック材、ゴム材、ダンボール紙などにより形成されている。この猫の排泄防止具１は平面的に見て布団（図示せず）と同じ大きさに形成されている。２は布団の縦方向に等間隔離して並行に配設された多数の横桁部であり、布団の横幅と同じ長さを有している。３は上下に隣接する横桁部２の間を連結する多数の連結部であり、布団の横方向に等間隔離して平行に配設されている。横桁部２と連結部３は同じ高さの縦壁状に形成されており、猫がまたいで歩くことはできるが、しゃがもうとすると、お尻が横桁部２や連結部３の上端に当たってしゃがめない高さに形成されている。すなわち、猫の排泄防止具１は、全体として、平面的に見て内部が閉じた四角形の縦壁４を格子状に二次元的に連接して配設した構成を有し、縦壁４の間の空間により猫が足を入れる足入れ部５が形成されるとともに、縦壁４により猫がしゃがむのを邪魔する邪魔部６が形成されている。
【００１０】
この実施例によれば、猫の排泄防止具１を布団の上に展開しておくと、猫は二次元的に配設された足入れ部５に足を入れながら布団の上を歩くことはできるが、しゃがもうとするとお尻が邪魔部６に当たってしゃがむことができない。猫はしゃがんで排泄する習性があるので、布団の上でおしっこ等を排泄する恐れがなくなる。
【００１１】
なお、上記した実施例では、平面的に見て内部が閉じた四角形状の縦壁を二次元的に連接して配設するようにしたが、平面的に見て三角形、五角形、六角形など他の多角形状の縦壁としたり、あるいは図２に示すごとき平面的に見て内部の閉じた円状の縦壁部材４Ａ（縦壁部材４Ａは３次元的に見た場合には円筒状）を多数、接着、溶着等で二次元的に連接して配設して猫の排泄防止具１Ａを構成しても良い。
【実施例２】
【００１２】
次に図３、図４を参照して本考案の第２実施例を説明する。図３は本考案に係る猫の排泄防止具の平面図、図４は図３のＩＶ−ＩＶ’線に沿った縦断面図である。
これらの図において、１Ｂは猫の排泄防止具であり、プラスチック材、ゴム材などにより形成されている。この猫の排泄防止具１Ｂは平面的に見て布団と同じ大きさに形成されている。７は多数の円錐体状の凸部であり、縦横に二次元的に連接して配設されている。隣接する凸部７、７の間は連結部８により連結されて、全体が一体化されている。各凸部７は猫がまたいで歩くことはできるが、しゃがもうとすると、お尻が凸部７の上端に当たってしゃがめない高さに形成されている。すなわち、猫の排泄防止具１Ｂは、全体として、隣接する凸部７の間の空間により猫が足を入れる足入れ部５Ｂが形成されるとともに、凸部７により猫がしゃがむのを邪魔する邪魔部６Ｂが形成されている。
【００１３】
この第２実施例によっても、猫の排泄防止具１Ｂを布団の上に展開しておけば猫は二次元的に配設された足入れ部５Ｂに足を入れながら布団の上を歩くことはできるが、しゃがもうとするとお尻が邪魔部６Ｂに当たってしゃがむことができない。猫はしゃがんで排泄する習性があるので、布団の上でおしっこ等を排泄する恐れがなくなる。
なお、上記した第２実施例では、凸部を円錐体状としたが、角錐体状としても良い。
【実施例３】
【００１４】
次に図５、図６を参照して本考案の第３実施例を説明する。図５は本考案に係る猫の排泄防止具の平面図、図６は図５のＶＩ−ＶＩ’線に沿った縦断面図である。
これらの図において、１Ｃは猫の排泄防止具であり、プラスチック材、ゴム材などにより形成されている。この猫の排泄防止具１Ｃは平面的に見て布団と同じ大きさに形成されたシート９の上に多数の棒状の凸部１０が縦横に二次元的に配設されて成る。各凸部１０は猫がまたいで歩くことはできるが、しゃがもうとすると、お尻が凸部１０の上端に当たってしゃがめない高さに形成されている。すなわち、猫の排泄防止具１Ｃは、全体として、隣接する凸部１０の間の空間により猫が足を入れる足入れ部５Ｃが形成されるとともに、凸部１０により猫がしゃがむのを邪魔する邪魔部６Ｃが形成されている。
【００１５】
この第３実施例によっても、猫の排泄防止具１Ｃを布団の上に展開しておけば猫は二次元的に配設された足入れ部５Ｃに足を入れながら布団の上を歩くことはできるが、しゃがもうとするとお尻が邪魔部６Ｃに当たってしゃがむことができない。猫はしゃがんで排泄する習性があるので、布団の上でおしっこ等を排泄する恐れがなくなる。
【００１６】
なお、上記した各実施例では、猫の排泄防止具を布団と同じ大きさとする場合を例に挙げて説明したが、本考案は何らこれに限定されず、マットレスや座布団などと同じ大きさとしても良い。
【産業上の利用可能性】
【００１７】
本考案は、布団、マットレスなどの寝具、座布団などの上に展開する猫の排泄防止具に適用できる。
【符号の説明】
【００１８】
１、１Ａ、１Ｂ、１Ｃ  猫の排泄防止具
４  縦壁
４Ａ  縦壁部材
５、５Ｂ、５Ｃ  足入れ部
６、６Ｂ、６Ｃ  邪魔部
７、１０  凸部
９  シート
【図１】
0003196231.tif 000003
【図２】
0003196231.tif 000004
【図３】
0003196231.tif 000005
【図４】
0003196231.tif 000006
【図５】
0003196231.tif 000007
【図６】
0003196231.tif 000008